(57)【要約】【課題】簡単な構成にして製品コストのいたずらな増大を回避しながら誤操作を避けたいスイッチ類への誤操作を確実に阻止し得るようにする。【解決手段】操作者の左右の掌による左右方向からの掌握を可能にする任意形状の平板状に形成される本体１の上面となる操作面１ａに複数のスイッチＳ１，Ｓ２，Ｓ３，Ｓ４を有してなるコントローラにおいて、スイッチＳ１，Ｓ２，Ｓ３，Ｓ４が操作面１ａに上方に向けて突設される突出部１ｃの軸芯部に形成の凹部１ｄに配在されて作動方向を上下方向とするプッシュ型のボタンからなると共に、スイッチＳ１，Ｓ２，Ｓ３，Ｓ４が本体１の両側に位置決められる左右の掌から延びる指が届く範囲内に複数配在されてなり、この複数のスイッチＳ１，Ｓ２，Ｓ３，Ｓ４の一つあるいは複数が遮蔽体２，３，４の配在で上記の指による操作を不能にしてなる。【選択図】図１
2007103163.tif 000002
【特許請求の範囲】
【請求項１】
操作者の左右の掌による左右方向からの掌握を可能にする任意形状の平板状に形成される本体の上面となる操作面に複数のスイッチを有してなるコントローラにおいて、スイッチが操作面に上方に向けて突設される突出部の軸芯部に形成の凹部に配在されて作動方向を上下方向とするプッシュ型のボタンからなると共に、スイッチが本体の両側に位置決められる左右の掌から延びる指が届く範囲内に複数配在されてなり、この複数のスイッチの一つあるいは複数が遮蔽体の配在で上記の指による操作を不能にしてなることを特徴とするコントローラ
【請求項２】
遮蔽体が本体を上下方向に挟むように形成されながら上片がスイッチを上方から覆ってなる請求項１に記載のコントローラ
【請求項３】
遮蔽体がスイッチを上面から覆う蓋体からなり、この蓋体の裏面に下方に向けて連設されたガイド部がスイッチの凹部に嵌装されてなる請求項１に記載のコントローラ
【請求項４】
遮蔽体が適宜の長さの筒状体からなると共に、この筒状体の下端部がスイッチの凹部に嵌装されてなる請求項１に記載のコントローラ
【発明の詳細な説明】
【技術分野】
【０００１】
この発明は、コントローラに関し、特に、複数のスイッチやダイヤルを有するコントローラの改良に関する。
【背景技術】
【０００２】
たとえば、コンクリートミキサー車に搭載のミキサードラムにおける回転を制御するためなどに、複数のスイッチやダイヤルを有するコントローラが利用されることがあるが、このコントローラにおいて操作すべきスイッチやダイヤルの選択を誤ること、すなわち、誤操作が招来され易いことは、経験側の示すところである。
【０００３】
そのため、たとえば、特許文献１には、複数のスイッチを有するコントローラに相当するハンドセットがスライド自在に設けられたカバーを有してなるとする提案が開示されている。
【０００４】
そして、この提案によれば、カバーがスイッチに相当するテンキーを覆うように構成されてなるとするから、不要時にカバーでテンキーを覆うようにすることによって、いわゆる意味なくテンキーを押すことを回避できることになる。
【特許文献１】実開平５‐４６１３５号公報（特許請求の範囲  請求項１，請求項２，請求項３，請求項４，明細書中の段落０００５，同０００６，同００１２，図１，図２，図３）
【発明の開示】
【発明が解決しようとする課題】
【０００５】
しかしながら、上記した特許文献１に開示の提案にあって、カバーが全部のテンキーを覆うように形成される場合には、特定のテンキーのみに対する誤操作を回避したいときにも全部のテンキーが覆われることになり、そのため、他のテンキーの操作を要するときにカバーを全面的に退避させることがあり得ることになり、その場合には、本来の誤操作を回避できなくすることになる危惧がある。
【０００６】
一方、上記した特許文献１に開示の提案にあって、カバーが一部のテンキーを覆うように形成される場合にも、スライドするカバーの配在には言わば大袈裟な構成が採用されることになり、部品点数や組立工数の増大によっていたずらな製品コストの増大を招くことになる不具合がある。
【０００７】
この発明は、このような現状を鑑みて創案されたものであって、その目的とするところは、誤操作を避けたいスイッチへの誤操作を確実に阻止し得るのはもちろんのこと、その場合に、簡単な構成にして製品コストのいたずらな増大を回避でき、その汎用性の向上を期待するのに最適となるコントローラを提供することである。
【課題を解決するための手段】
【０００８】
上記した目的を達成するために、この発明によるコントローラの構成を、基本的には、操作者の左右の掌による左右方向からの掌握を可能にする任意形状の平板状に形成される本体の上面となる操作面に複数のスイッチを有してなるコントローラにおいて、スイッチが操作面に上方に向けて突設される突出部の軸芯部に形成の凹部に配在されて作動方向を上下方向とするプッシュ型のボタンからなると共に、スイッチが本体の両側に位置決められる左右の掌から延びる指が届く範囲内に複数配在されてなり、この複数のスイッチの一つあるいは複数が遮蔽体の配在で上記の指による操作を不能にしてなるとする。
【発明の効果】
【０００９】
それゆえ、この発明にあっては、スイッチに遮蔽体が配在されている状態のコントローラたる本体を左右の掌で左右方向から掌握する利用状態のときに、各掌から延びる指が遮蔽体の配在されたスイッチに直接振れ得なくなり、したがって、スイッチを不用意に押圧する誤操作を回避することが可能になる。
【００１０】
そして、遮蔽体が配在されたスイッチをオン操作するには、遮蔽体を撤去する作業が必須になるから、この遮蔽体の撤去の際に、その必要性を確認し得ることになり、誤操作の危惧すら排除されることになる。
【００１１】
その結果、この発明によれば、誤操作を避けたいスイッチへの誤操作を確実に阻止し得るのはもちろんのこと、その場合に、簡単な構成にして製品コストのいたずらな増大を回避でき、その汎用性の向上を期待するのに最適となる。
【発明を実施するための最良の形態】
【００１２】
以下に、図示した実施形態に基づいて、この発明を説明するが、この発明によるコントローラは、コンクリートミキサー車に搭載のミキサードラムにおける回転を制御し、また、ミキサードラム内に収容されているコンクリート（以下、生コンと略称する）を排出していわゆる空になったミキサードラムを洗浄するためのものであり、そして、このコントローラは、ミキサードラムの周辺で操作に便利なように無線構造に形成されてなるとしている。
【００１３】
そして、この発明によるコントローラは、図１に示すように、基本的には、本体１が任意形状の平板状に形成されるもので、この本体１の大きさは、たとえば、図示するように、無線構造とされて携帯型とされるとき、操作者が左右の掌によって左右方向から掌握することを可能にする大きさに設定されるであろう。
【００１４】
ちなみに、本体１において、これを平面的に看るとき、図中で上方の左右の角部にあっては、たとえば、ここに隣接される操作者の指に馴染み易いように側面が円弧状に形成されてなるとしている。
【００１５】
そして、このとき、図示するところにあっては、この角部に副えられた指がいわゆる滑って、本体１の上面たる操作面１ａ上に侵入してくることを阻止するガード部１ｂが形成されてなるとしている。
【００１６】
ところで、凡そこの種のコントローラがそうであるように、この発明によるコントローラにあっても、本体１の操作面１ａには、複数のスイッチとダイヤルを有してなるとしている。
【００１７】
少し説明すると、この発明によるコントローラは、この実施形態では、コンクリートミキサー車に搭載のミキサードラムにおける回転を制御すると共に、生コンを全排出していわゆる空になったミキサードラム内を洗浄するときに利用するとされていることから、起動スイッチＳ１と、非常停止スイッチＳ２と、自動混練スイッチＳ３と、自動洗浄スイッチＳ４とを有してなると共に、メインダイヤルＤ１とを有してなり、さらには、電源ランプＬ１と、低電圧ランプＬ２と、充電ランプＬ３とを有してなるとしている。
【００１８】
このとき、各スイッチＳ１，Ｓ２，Ｓ３，Ｓ４は、操作面１ａに上方に向けて突設される突出部１ｃの軸芯部に形成の凹部１ｄに配在されるプッシュ型のボタンからなるとし、いわゆるボタンを押すようにする操作でオン操作されるとしている。
【００１９】
ちなみに、起動スイッチＳ１は、ミキサードラムの回転やミキサードラムの洗浄などの諸操作を行うときにオン操作されるもので、このとき、電源が入っていることを電源ランプＬ１の点灯で確認し得るとしている。
【００２０】
なお、低電圧ランプＬ２は、このコントローラの使用電源が不足することを警告するときに点灯し、充電ランプＬ３は、このコントローラの充電中にこれを点灯表示する。
【００２１】
非常停止スイッチＳ２は、緊急時にミキサードラムの回転を停止させるためにオン操作されるもので、平常時にミキサードラムの回転を停止させるのは、後述するメインダイヤルＤ１の回動操作による。
【００２２】
自動混練スイッチＳ３は、ミキサードラムの高速回転を実現する場合にオン操作されるもので、主に、排出前のミキサードラム内の生コンにおける品質を向上させるためにミキサードラムを高速回転させる。
【００２３】
自動洗浄スイッチＳ４は、生コンを全排出したミキサードラム内に付着した生コンの言わば残り滓を洗浄水で洗浄する場合にオン操作されるもので、このとき、ミキサードラムは、高速回転されるが、ミキサードラム内から生コンが全排出されていない内には、絶対的にオン操作されてはならないとされている。
【００２４】
メインダイヤルＤ１は、たとえば、時計方向に回動することで、ミキサードラムの投入方向への回転、すなわち、生コンをミキサードラム内に収容する方向への回転およびその回転速度を回転角度に依存して速くするように制御するもので、図示する回動開始前の状態では、ミキサードラムを回転し得ない設定とされている。
【００２５】
ところで、上記の各スイッチＳ１，Ｓ２，Ｓ３，Ｓ４は、本体１の両側に位置決められる操作者の掌から延びる指が届く範囲内に複数、すなわち、図示するところにあっては、本体１の左方部にスイッチＳ１，Ｓ２が、および、本体１の右方部にスイッチＳ３，Ｓ４が、それぞれ二個づつ配在されてなり、この複数のスイッチの一つ、あるいは、要する場合に複数が遮蔽体２，３，４（図２および図３以下参照）の配在で上記の指による操作が不能にされるとしている。
【００２６】
なお、図示する実施形態にあっては、本体１の図中で下方となる両方の角部は、軸１１を有するベルト通し部１ｅとされていて、この本体１をベルトに保持させることで、このコントローラの手放しの携帯を可能にするようにしている。
【００２７】
このような前提の下に、この発明によるコントローラにあっては、図示する実施形態では、自動洗浄スイッチＳ４が遮蔽体２，３，４で遮蔽されて操作不能な状況におかれるとしている。
【００２８】
そこで、以下には、この遮蔽体２，３，４について説明するが、まず、図２および図３に示す遮蔽体２は、図３に示すように、正面形状を横向き角Ｕ字状にして本体１を上下方向に挟むように形成される、すなわち、上片２１と下片２２を有すると共に、この上下片２１，２２を連結する連結部２３を有してなり、下片２２が本体１の下面に隣接されながら上片２１が自動洗浄スイッチＳ４を上方から覆うとしている。
【００２９】
それゆえ、この実施形態による場合には、この遮蔽体２を、たとえば、弾性に富む樹脂材で型抜き形成する場合には、単価を安くして製品コストのいたずらな増大を回避させながら、本体１への保持性を良くして所定の遮蔽動作の継続を可能にし得ることになる。
【００３０】
つぎに、図４に示す遮蔽体３は、自動洗浄スイッチＳ４を上面から覆う蓋体３１からなり、この蓋体３１の裏面に下方に向けて連設されたガイド部３２が自動洗浄スイッチＳ４における凹部１ｄに嵌装されるとするもので、ガイド部３２と凹部１ｄとの間における摩擦抵抗で蓋体３１、すなわち、遮蔽体３が所定の遮蔽状態に維持されるとしている。
【００３１】
それゆえ、この実施形態による場合には、この遮蔽体３を軟質の樹脂材で形成して、凹部１ｄに対する保持性、すなわち、定着性を保障すると共に、着色された透明樹脂材を利用することで、遮蔽体３が利用されていることを識別し易くするなどが可能になる。
【００３２】
そして、図５に示す遮蔽体４は、適宜の長さの筒状体４１からなると共に、この筒状体４１の下端部４１ａが自動洗浄スイッチＳ４を配在させる凹部１ｄ（符示せず）に嵌装されるとするもので、下端部４１ａと凹部１ｄとの間における摩擦抵抗で筒状体４１、すなわち、遮蔽体４が所定の遮蔽状態に維持されるとしている。
【００３３】
ちなみに、このときに、筒状体４１の径が指を挿通させる程の大径に形成されるとしても、上方に伸びることになる長さが大きく設定されることで、スイッチたる自動洗浄スイッチＳ４に指が触れることを回避し得ることになる。
【００３４】
それゆえ、この実施形態による場合には、ビニールチューブを適宜の長さに切断して利用することが可能になり、したがって、部品コストの大幅な低減を可能にする点で有利となる。
【００３５】
前記したところでは、遮蔽体２，３，４による遮蔽が自動洗浄スイッチＳ４に対して実施されるとしたが、これは、自動洗浄スイッチＳ４に対する誤操作で自動洗浄装置が誤作動されると、特に、ミキサードラム内にコンクリートがあって未だ排出されていないうちに自動洗浄装置が誤作動されると、コンクリートの性状を変えるから絶対的に回避しなければならないことに基づく。
【００３６】
それゆえ、誤操作をしたくない観点からすれば、図示しないが、他のスイッチにも遮蔽体が配在されるとしても良いことはもちろんである。
【００３７】
また、前記したところでは、コントローラが無線構造とされて携帯型に設定されてなるとしたが、この発明が意図するところからすれば、コントローラが有線構造とされて、たとえば、コンクリートミキサー車の運転席から延長されるリード線に接続されてなるとしても良いことはもちろんである。
【図面の簡単な説明】
【００３８】
【図１】この発明によるコントローラを示す平面図である。
【図２】この発明を具体化した要部を拡大して示す部分平面図である。
【図３】図２に示すところを正面側から示す図である。
【図４】遮蔽体の他の実施形態を図２と同様に示す図である。
【図５】遮蔽体の更なる他の実施形態を図２と同様に示す図である。
【符号の説明】
【００３９】
１  本体
１ａ  操作面
１ｃ  突出部
１ｄ  凹部
２，３，４  遮蔽体
２１  上片
２２  下片
３１  蓋体
３２  ガイド部
４１  筒状体
４１ａ  下端部
Ｓ１  起動スイッチ
Ｓ２  非常停止スイッチ
Ｓ３  自動混練スイッチ
Ｓ４  自動洗浄スイッチ
【図１】
2007103163.tif 000003
【図２】
2007103163.tif 000004
【図３】
2007103163.tif 000005
【図４】
2007103163.tif 000006
【図５】
2007103163.tif 000007